(57)【特許請求の範囲】
【請求項１】
無線通信ネットワークの協調ＭＩＭＯのサービス提供基地局内で前記協調ＭＩＭＯのダウンリンクサービスデータに関するコンテンツ同期を制御する方法であって、
ａ．第１のデータパケットを得るために、移動局に送信されることになるサービスデータに関するデータリンク層処理を実行するステップと、
ｂ．前記第１のデータパケットを送信するための第１の時間周波数リソースに関する情報を決定するステップと、
ｃ．それぞれ、前記第１のデータパケットを前記協調ＭＩＭＯの（１つまたは複数の）すべての他の協調基地局に送信し、前記第１の時間周波数リソースに関する前記情報を前記（１つまたは複数の）他の協調基地局に送信するステップとを備えることを特徴とする方法。
【請求項２】
前記ステップＣの後で、
ｉ．第２のデータパケットを得るために、前記第１のデータパケットに関する変調および符号化を実行するステップと、
ｉｉ．前記第２のデータパケットを前記第１の時間周波数リソース上で前記移動局に送信するステップとをさらに備えることを特徴とする、請求項１に記載の方法。
【請求項３】
前記協調ＭＩＭＯのそれぞれの基地局から前記移動局へのダウンリンクチャネルのチャネル品質に関連する情報を取得するステップと、
チャネル品質に関連する前記情報に従って、前記協調ＭＩＭＯのそれぞれの基地局に関する前記第１のデータパケットを送信するために使用される変調および符号化方式を決定するステップと、
それぞれの協調基地局の前記対応する変調および符号化方式を前記対応する協調基地局に送信するステップと
をさらに備えることを特徴とする、請求項１に記載の方法。
【請求項４】
第３のデータパケットを得るために、前記決定された変調および符号化方式に従って、前記第１のデータパケットに関する変調および符号化を実行するステップと、
前記第３のデータパケットを前記第１の時間周波数リソース上で前記移動局に送信するステップと
をさらに備えることを特徴とする、請求項３に記載の方法。
【請求項５】
前記ステップｉｉが、
チャネル品質に関連する前記情報に従って、前記協調ＭＩＭＯのそれぞれの基地局に関する前記第１のデータパケットを送信するために使用される同じ変調および符号化方式を決定するステップをさらに備えることを特徴とする、請求項２に記載の方法。
【請求項６】
前記無線通信ネットワークが、アドバンストＬＴＥ無線通信ネットワークであり、前記サービス提供基地局が、他の協調基地局と通信するためのＸ２インターフェースを有し、前記Ｘ２インターフェースを経由して前記送信するステップを実行することを特徴とする、請求項１または３に記載の方法。
【請求項７】
前記データリンク層処理が、ＰＤＣＰ処理と、ＲＬＣ処理と、ＭＡＣ処理と、スケジューリングとを含むことを特徴とする、請求項１に記載の方法。
【請求項８】
ＭＡＣスケジューリング期間が、複数の伝送時間間隔であることを特徴とする、請求項７に記載の方法。
【請求項９】
それぞれの前記協調ＭＩＭＯ基地局の変調および符号化方式が、ＭＡＣスケジューリング期間内に固定されていることを特徴とする、請求項８に記載の方法。
【請求項１０】
無線通信ネットワークの協調ＭＩＭＯの協調基地局内で前記協調ＭＩＭＯのダウンリンクサービスデータに関するコンテンツ同期を実行する方法であって、
Ａ．サービス提供基地局によってデータリンク層処理が実行された第１のデータパケットと、前記サービス提供基地局によって決定された、前記第１のデータパケットを送信するための第１の時間周波数リソースに関する情報とを前記サービス提供基地局から受信するステップと、
Ｂ．第４のデータパケットを得るために、前記第１のデータパケットに関する変調および符号化を実行するステップと、
Ｃ．前記第４のデータパケットを前記第１の時間周波数リソース上で移動局に送信するステップとを備えることを特徴とする方法。
【請求項１１】
前記サービス提供基地局から変調および符号化方式の通知を受信するステップをさらに備え、
前記ステップＢが、
前記変調および符号化方式に従って、前記第１のデータパケットに関する変調および符号化を実行するステップ
をさらに備えることを特徴とする、請求項１０に記載の方法。
【請求項１２】
前記サービス提供基地局からの前記第１のデータパケットが、ＭＡＣ  ＰＤＵシーケンス番号を含み、前記方法が、
前記ＭＡＣ  ＰＤＵシーケンス番号に従って、データパケットが失われたかどうかを判定するステップと、
データパケットが失われた場合、前記サービス提供基地局によって決定された、前記失われたパケットを送信するための前記対応する時間周波数リソース上でいかなるデータも送信しないステップと
をさらに備えることを特徴とする、請求項１０に記載の方法。
【請求項１３】
前記無線通信ネットワークが、アドバンストＬＴＥ無線通信ネットワークであり、前記協調基地局が、前記サービス提供基地局と通信するためのＸ２インターフェースを有し、前記Ｘ２インターフェースを経由して前記受信するステップを実行することを特徴とする、請求項１０または１１に記載の方法。
【請求項１４】
協調ＭＩＭＯのダウンリンクサービスデータに関するコンテンツ同期を制御するための、無線通信ネットワークの前記協調ＭＩＭＯのサービス提供基地局内の制御装置であって、
第１のデータパケットを得るために、移動局に送信されることになるサービスデータに関するデータリンク層処理を実行するように構成された処理ユニットと、
前記第１のデータパケットを送信するための第１の時間周波数リソースに関する情報を決定するように構成された第１の決定ユニットと、
前記第１のデータパケットを前記協調ＭＩＭＯの（１つまたは複数の）すべての他の協調局に送信し、前記第１の時間周波数リソースに関する前記情報を前記（１つまたは複数の）他の協調局に送信するように構成された第１の送信ユニットとを備えることを特徴とする制御装置。
【請求項１５】
協調ＭＩＭＯのダウンリンクサービスデータに関するコンテンツ同期を実行するための、無線通信ネットワークの前記協調ＭＩＭＯの協調基地局内の同期装置であって、
サービス提供基地局によってデータリンク層処理が実行された第１のデータパケットと、前記サービス提供基地局によって決定された、前記第１のデータパケットを送信するための第１の時間周波数リソースに関する情報とを前記サービス提供基地局から受信するように構成された受信ユニットと、
第４のデータパケットを得るために、前記第１のデータパケットに関する変調および符号化を実行するように構成された第３の変調および符号化ユニットと、
前記第４のデータパケットを前記第１の時間周波数リソース上で移動局に送信するように構成された第４の送信ユニットとを備えることを特徴とする同期装置。
【発明の詳細な説明】
【技術分野】
【０００１】
本発明は、無線リレイ通信ネットワークにおける協調ＭＩＭＯの分野に関し、より詳細には、協調ＭＩＭＯの基地局に関する。
【背景技術】
【０００２】
ＬＴＥアドバンスト協調マルチポイント（ＣｏＭＰ）送信／受信は、セル間干渉を管理して、セルエッジユーザのパフォーマンスを改善するための最も可能性のある技術と考えられている。協調マルチポイント送信／受信の１つの処理方式は、協調ＭＩＭＯ（多入出力）である。
【０００３】
効果的で正確な協調ＭＩＭＯを実行するために、協働している複数のｅＮＢ（進化型ノードＢ、または被呼側基地局）は、同じコンテンツのデータを同じ時間周波数リソース上で送信することを要求される。協調基地局がどのように同じコンテンツのデータを同じ時間周波数リソース上で送信できるかという問題は、協調ＭＩＭＯにおけるコンテンツ同期の問題である。
【０００４】
ＬＴＥ  ｅＭＢＭＳでは現在、正確なＭＢＳＦＮ動作を実行するためのコンテンツ同期機構も要求される。ＭＢＭＳの場合、ＰＤＣＰ層における処理はＭＢＭＳゲートウェイ内に位置し、ＢＭＳゲートウェイが送信されることになるデータパケットに関して統一されたＰＤＣＰ層プロセスを実行した後で、データパケットはＩＰマルチキャストによってそれぞれの基地局に送信される。それぞれの基地局は、次いで、所定の規則に従って、送信されたデータパケットに関してＲＬＣ処理と、ＭＡＣ処理と、スケジューリングとを実行する。データリンク層処理の後で、それぞれの基地局は、同じコンテンツのデータパケットを取得し、次いで、それぞれの基地局は同じ物理層処理を実行し、したがって、それぞれの基地局によって送信されたデータパケットは全く同じである。
【０００５】
ＬＴＥアドバンストでは、ユニキャストデータパケットに関するＰＤＣＰ処理はそれぞれの基地局によって実行されるが、それはユニキャストデータパケットに関するＰＤＣＰ処理が（基地局識別、リンク識別など）現在の基地局および移動局の特性情報と組み合わせて実行されるべきであるためである。したがって、協調ＭＩＭＯにおいて移動局に送信されたデータパケットに関するＰＤＣＰ処理がそれぞれの基地局によって個別に実行される場合、それぞれの基地局によってＰＤＣＰ処理を実行することによって取得されるデータパケットは互いに異なることになり、したがって、コンテンツ同期を実現することはできない。
【０００６】
ＭＢＭＳとユニキャストとの間のプロトコルスタックの違いにより、ＭＢＭＳおよびユニキャストのサービス特性も異なる。したがって、ＭＢＭＳのコンテンツ同期機構を協調ＭＩＭＯのユニキャストサービスに適用することはできない。
【発明の概要】
【課題を解決するための手段】
【０００７】
背景技術において説明された問題に関して、本発明は、無線通信ネットワークの協調ＭＩＭＯ内で協調ＭＩＭＯのダウンリンクサービスデータのコンテンツ同期を制御して、第１のデータパケットを得るために、協調ＭＩＭＯのサービス提供基地局によって、移動局に送信されることになるサービスデータに関するデータリンク層処理を実行し、第１のデータパケットを協調ＭＩＭＯの（１つまたは複数の）他の協調基地局に送信し、その後、協調ＭＩＭＯのデータパケットの送信に関与する（サービス提供基地局を含んでもよく、または含まなくてもよい）それぞれの基地局によって、第１のデータパケットを同じ時間周波数リソース上で移動局に送信する方法を提案する。
【０００８】
本発明の第１の態様によれば、無線ネットワークの協調ＭＩＭＯのサービス提供基地局内で協調ＭＩＭＯのダウンリンクサービスデータのコンテンツ同期を制御する方法であって、ａ．第１のデータパケットを得るために、移動局に送信されることになるサービスデータに関するデータリンク層処理を実行するステップと、ｂ．前記第１のデータパケットを送信するための第１の時間周波数リソースに関する情報を決定するステップと、ｃ．それぞれ、前記第１のデータパケットを前記協調ＭＩＭＯの（１つまたは複数の）他の協調基地局に送信し、前記第１の時間周波数リソースに関する前記情報を前記（１つまたは複数の）他の協調基地局に送信するステップとを備えることを特徴とする方法が提供される。
【０００９】
本発明の第２の態様によれば、無線ネットワークの協調ＭＩＭＯの協調基地局内で協調ＭＩＭＯのダウンリンクサービスデータのコンテンツ同期を制御する方法であって、Ａ．サービス提供基地局によってデータリンク層処理が実行された第１のデータパケットと、前記サービス提供基地局によって決定された、第１のデータパケットを送信するための第１の時間周波数リソースに関する情報とを前記サービス提供基地局から受信するステップと、Ｂ．第４のデータパケットを得るために、前記第１のデータパケットに関する変調および符号化処理を実行するステップと、Ｃ．前記第４のデータパケットを前記第１の時間周波数リソース上で移動局に送信するステップとを備えることを特徴とする方法が提供される。
【００１０】
本発明の第３の態様によれば、協調ＭＩＭＯのダウンリンクサービスデータのコンテンツ同期を制御するための、無線ネットワークの協調ＭＩＭＯのサービス提供基地局内の制御装置であって、処理ユニットと、第１の決定ユニットと、第１の送信ユニットとを備え、その処理ユニットが、第１のデータパケットを得るために、移動局に送信されることになるサービスデータに関するデータリンク層処理を実行するように構成され、その第１の決定ユニットが、前記第１のデータパケットを送信するための第１の時間周波数リソースに関する情報を決定するように構成され、その第１の送信ユニットが、前記第１のデータパケットを前記協調ＭＩＭＯの（１つまたは複数の）すべての協調基地局に送信し、前記第１の時間周波数リソースに関する前記情報を前記（１つまたは複数の）他の協調基地局に送信するように構成されることを特徴する制御装置が提供される。
【００１１】
本発明の第４の態様によれば、協調ＭＩＭＯのダウンリンクサービスデータのコンテンツ同期を実行するための、無線通信ネットワークの協調ＭＩＭＯの協調基地局内の同期装置であって、受信ユニットと、第３の変調および符号化ユニットと、第４の送信ユニットとを備え、その受信ユニットが、サービス提供基地局によってデータリンク層処理が実行された第１のデータパケットと、そのサービス提供基地局によって決定された、第１のデータパケットを送信するための第１の時間周波数リソースに関する情報とをそのサービス提供基地局から受信するように構成され、その第３の変調および符号化ユニットが、第４のデータパケットを得るために、前記第１のデータパケットに関する変調および符号化を実行するように構成され、その第４の送信ユニットが、前記第４のデータパケットを前記第１の時間周波数リソース上で移動局に送信するように構成されることを特徴とする同期装置が提供される。
【００１２】
本発明の技術的な解決法により、協調ＭＩＭＯのそれぞれの基地局が同じデータを同じ時間周波数リソース上で移動局に送信することを効果的に実現することが可能である。協調ＭＩＭＯのサービス提供基地局によって協調ＭＩＭＯの（１つまたは複数の）他の協調基地局に送信されたデータパケットが失われた場合、その失われたデータパケットを送信するための時間周波数リソース上で協調ＭＩＭＯの協調基地局を沈黙させることによって、すなわち、いかなるデータも送信しないことによって、干渉を生み出さずに、データ同期を良好に維持することが可能である。このサービス提供基地局は、Ｘ２インターフェースを経由して（１つまたは複数の）他の協調基地局と通信し、これはコンテンツ同期機構を非常に効果的にし、協調ＭＩＭＯのメンバ基地局を調整することにより、迅速に調整されることを可能にする。本発明の同期方式は、現在の基地局の構造設計および基地局の現在のＸ２インターフェースにほとんど影響を与えない。
【００１３】
本発明のその他の特徴、目的、および利点は、添付の図面と共に、非限定的な実施形態の以下の詳細な説明からより明らかになるであろう。
【図面の簡単な説明】
【００１４】
【図１】本発明の一実施形態による協調ＭＩＭＯのアプリケーションシナリオに関する概略図である。
【図２】本発明の一実施形態による、無線通信ネットワークの協調ＭＩＭＯのサービス提供基地局内で協調ＭＩＭＯにおけるダウンリンクサービスデータのコンテンツ同期を制御する制御方法の流れ図である。
【図３】本発明の一実施形態による、無線通信ネットワークの協調ＭＩＭＯのサービス提供基地局内で第１のデータパケットに関する変調および符号化処理および送信を実行するための流れ図である。
【図４】本発明の一実施形態による、無線通信ネットワークの協調ＭＩＭＯの協調基地局内で協調ＭＩＭＯのダウンリンクサービスデータのコンテンツ同期を実行するための流れ図である。
【図５】本発明の一実施形態による、それぞれの基地局から移動局１２までのダウンリンクチャネルのチャネル品質に関連する情報に従って、無線通信ネットワークの協調ＭＩＭＯのサービス提供基地局１１１によって、協調ＭＩＭＯのそれぞれの基地局に関して対応する変調および符号化方式を決定するための流れ図である。
【図６】本発明の一実施形態による、独自で決定された変調および符号化方式に従って、無線通信ネットワークの協調ＭＩＭＯのサービス提供基地局１１１によって、第１のデータパケットに関する変調および符号化ならびに伝送を実行するための流れ図である。
【図７】本発明の一実施形態による、無線通信ネットワークの協調ＭＩＭＯにおけるＭＡＣスケジューリング期間およびデータ伝送の図である。
【図８】データパケットが失われた場合、無線通信ネットワークの協調ＭＩＭＯにおける協調基地局１１２および１１３内でコンテンツ同期を実行するための流れ図である。
【図９】本発明の一実施形態による、ダウンリンクサービスデータに関するコンテンツ同期を実行するための、無線通信ネットワークの協調ＭＩＭＯの協調基地局内の制御装置のブロック図である。
【図１０】本発明の一実施形態による、ダウンリンクサービスデータに関するコンテンツ同期を実行するための、無線通信ネットワークの協調ＭＩＭＯの協調基地局内の同期装置のブロック図である。
【発明を実施するための形態】
【００１５】
同一または類似の参照符号は、同一もしくは類似の手順または装置（モジュール）を示す。
【００１６】
添付の図面と共に、本発明の非限定的な実施形態が以下で説明される。
【００１７】
図１は、本発明の一実施形態による、アプリケーションシナリオの概略図を示す。図１では、サービス提供基地局である基地局１１１は、サービスデータおよび制御シグナリングの送受信を含めて、移動局１２と通信する。基地局１１２、１１３は、協調基地局であり、移動局１２にダウンリンクサービスデータを転送することだけに関与する。
【００１８】
図１に示されるアプリケーションシナリオでは、協調ＭＩＭＯのダウンリンクサービスデータの伝送に関与するメンバ基地局は、基地局１１１、基地局１１２、および基地局１１３であってよく、基地局１１２および基地局１１３であってもよく、基地局１１１および基地局１１２であってもよく、または基地局１１１および基地局１１３であってもよい点が説明されるべきである。サービス提供基地局１１１は、それぞれの基地局から移動局１２へのチャネル品質、およびそれぞれの基地局の負荷などのパラメータなどに従って、ダウンリンクサービスデータを移動局１２に協調的に送信するメンバ基地局を決定することが可能である。詳細には、協調ＭＩＭＯのメンバ基地局をどのように決定するかは、本発明に直接関係なく、本発明において詳細に説明されない。本発明では、協調ＭＩＭＯのメンバ基地局が決定された後で、どのようにコンテンツ同期を維持するか、すなわち、協調ＭＩＭＯのそれぞれの基地局にどのように同じコンテンツのデータパケットを同じ時間周波数リソース上で移動局に送信させるかが議論され、同じコンテンツのデータパケットは、データリンク層処理が実行されている、同一のデータパケット、または物理層処理が実行されている同一のデータパケットを含む。
【００１９】
以下の実施形態では、指定されていない場合、協調ＭＩＭＯのメンバ移動局は、サービス提供基地局１１１、協調基地局１１２および１１３を含む。
【００２０】
図２は、無線通信ネットワークの協調ＭＩＭＯのサービス提供基地局内で協調ＭＩＭＯのダウンリンクサービスデータのコンテンツ同期を制御する方法の流れ図を示す。これは、図１と共に、図２に示される流れによって詳細に説明される。
【００２１】
まず、ステップＳ２０１において、サービス提供基地局１１１は、第１のデータパケットを得るために、移動局１２に送信されることになるサービスデータに関するデータリンク層処理を実行する。異なる無線通信ネットワークの場合、詳細なデータリンク層処理は、異なる処理手順を含み得る。例えば、ＬＴＥアドバンスト無線通信ネットワークの場合、このデータリンク層処理は、ＰＤＣＰ（パケットデータコンバージェンスプロトコル）処理と、ＲＬＣ（無線リンク制御）処理と、ＭＡＣ（メディアアクセス制御）処理と、スケジューリングとを含む。
【００２２】
次いで、ステップＳ２０２において、サービス提供基地局１１１は、第１のデータパケットを送信するための時間周波数リソース情報を決定する。
【００２３】
最終的に、ステップＳ２０３において、サービス提供基地局１１１は、それぞれ、第１のデータパケットを協調ＭＩＭＯの他の協調基地局１１２および１１３に送信し、第１の時間周波数リソースに関する情報を他の協調基地局１１２および１１３に送信する。
【００２４】
ＬＴＥアドバンスト無線通信ネットワークの場合、それぞれの基地局は、他の基地局と通信するためのＸ２インターフェースを有する。図２のステップＳ２０３において、基地局１１１は、第１のデータパケットと、第１の時間周波数リソースに関する情報とをＸ２インターフェースを経由して協調基地局１１２および１１３に送信することが可能である。
【００２５】
図１に示されるアプリケーションシナリオの場合、協調ＭＩＭＯのダウンリンクサービスデータ伝送に関与する基地局は、基地局１１１、基地局１１２、および基地局１１３であってよく、基地局１１２および基地局１１３であってもよく、基地局１１１および基地局１１２であってもよく、または基地局１１１および基地局１１３であってもよい。サービス提供基地局１１１がサービスデータ伝送に関与する場合、図２に示されるステップの後で、基地局１１１は、図３で説明されるステップをさらに実行する。
【００２６】
まず、ステップＳ３０１において、サービス提供基地局１１１は、第２のデータパケットを得るために、図２のステップＳ２０１における第１のデータパケットに関する変調および符号化処理を実行する。
【００２７】
次いで、ステップＳ３０２において、サービス提供基地局１１１は、第２のデータパケットをステップＳ２０２において決定された第１の時間周波数リソース上で移動局１２に送信する。
【００２８】
基地局１１２および／または基地局１１３が協調ＭＩＭＯのサービスデータ伝送に関与する場合、基地局１１２または基地局１１３において、図４に示されるように、無線通信ネットワークの協調ＭＩＭＯの協調基地局内で協調ＭＩＭＯのダウンリンクサービスデータに関するコンテンツ同期を実行する流れが実行される。一般性を失わずに、基地局１１２を例にとって、図４の流れが詳細に説明される。
【００２９】
まず、ステップＳ４０１において、基地局１１２は、サービス提供基地局１１１から生じ、かつサービス提供基地局１１１がデータリンク層処理を実行した第１のデータパケットと、サービス提供基地局１１１によって決定された、第１のデータパケットを送信するための第１の時間周波数リソースに関する情報とを受信する。
【００３０】
次いで、ステップＳ４０２において、基地局１１２は、第４のデータパケットを得るために、第１のデータパケットに関する変調および符号化を実行する。
【００３１】
最終的に、ステップＳ４０３において、基地局１１２は、第４のデータパケットを第１の時間周波数リソース上で移動局１２に送信する。
【００３２】
第２のデータパケットおよび第４のデータパケットの形態は、詳細には、サービス提供基地局１１１と協調基地局１１２とによって採用される変調および符号化方式に応じて、同じであってよく、または異なってもよい点が言及されるべきである。サービス提供基地局１１１と協調基地局１１２とが同じ変調および符号化方式を採用する場合、第２のデータパケットおよび第４のデータパケットの形態は同じであり、サービス提供基地局１１１と協調基地局１１２とが異なる変調および符号化方式を採用する場合、第２のデータパケットおよび第４のデータパケットの形態は異なる。
【００３３】
詳細には、図１に示される前記協調ＭＩＭＯでは、移動局１２に送信されることになる第１のデータパケットに関してそれぞれの基地局によって採用される変調および符号化方式の様式は、少なくとも以下の２つの事例を含む。１つは、サービス提供基地局１１１が、それぞれの基地局から移動局１２へのダウンリンクチャネルのチャネル品質に関連する情報に従って、協調ＭＩＭＯのそれぞれの基地局に関して対応する変調および符号化方式を決定することであり、もう１つは、協調ＭＩＭＯのそれぞれの基地局が、第１のデータパケットを送信するための変調および符号化方式を独自に決定することである。これらの２つの様式は、以下で詳細に説明される。
【００３４】
第１の様式の詳細な実装形態の流れ図が図５に示される。
【００３５】
まず、ステップＳ５０１において、サービス提供基地局１１１は、協調ＭＩＭＯの基地局１１２および１１３のそれぞれから移動局１２へのダウンリンクチャネルのチャネル品質に関連する情報を取得する。
【００３６】
詳細には、図１に示されるような協調ＭＩＭＯの場合、サービス提供基地局１１１は、基地局１１１、１１２および１１３から移動局１２へのダウンリンクチャネルのチャネル品質を測定することを移動局１２に命令するための表示を送信する。移動局１２は、チャネル品質に関連する情報を得るために、基地局１１２および１１３のそれぞれから受信された同期ブロードキャスト情報に従って、基地局１１２および１１３のそれぞれから移動局１２へのダウンリンクチャネルのチャネル品質を測定する。移動局１２は、チャネル品質に関連する情報を得るために、サービス提供基地局１１１から受信されたユニキャスト情報またはブロードキャスト情報に従って、サービス提供基地局１１１から移動局１２へのダウンリンクチャネルのチャネル品質も測定する。その後、移動局１２は、それぞれのチャネルのチャネル品質に関連する情報を基地局１１１に送信し戻す。チャネル品質に関連する情報は、チャネル品質インジケータ（ＣＱＩ）または信号対雑音比（ＳＮＲ）もしくは信号対干渉雑音比（ＳＩＮＲ）などのパラメータを含むが、これらに限定されないチャネル品質を示す情報を指す。オプションで、チャネル品質に関連する情報は、バースト干渉の影響を除去するために、ある期間内の複数の過渡値の統計的平均値であってよい。
【００３７】
次に、ステップＳ５０２において、サービス提供基地局１１１は、ステップＳ５０１で取得されたチャネル品質に関連する情報に従って、協調ＭＩＭＯの基地局１１２および１１３のそれぞれに関する第１のデータパケットを送信するための変調および符号化方式を決定する。
【００３８】
最終的に、ステップＳ５０３において、サービス提供基地局１１１は、協調基地局１１２および１１３のそれぞれの対応する変調および符号化方式を対応する協調基地局に送信する。
【００３９】
詳細には、サービス提供基地局１１１は、協調ＭＩＭＯのそれぞれの基地局に関して、第１のデータパケットを送信するための変調および符号化方式を決定することが可能である。一般に、チャネル品質に関連する情報によって良好なチャネル品質が示されるダウンリンクチャネルの場合、ＧＳＭ進化のための拡張データレート（Ｅｎｈａｎｃｅｄ  Ｄａｔａ  Ｒａｔｅ  ｆｏｒ  ＧＳＭ  Ｅｖｏｌｕｔｉｏｎ）（ＥＤＧＥ）のＭＳＣ−５からＭＳＣ−９など、より高いデータスループットを有するが、より低いエラー弾性を有する変調および符号化方式を採用することが可能である。チャネル品質に関連する情報によって不良チャネル品質が示されるダウンリンクチャネルの場合、ＧＳＭ進化のための拡張データレートのＭＣＳ−１からＭＣＳ−４など、より低いデータスループットを有するが、より高いエラー弾性を有する変調および符号化方式を採用することが可能である。
【００４０】
オプションで、サービス提供基地局１１１は、協調ＭＩＭＯのそれぞれの基地局に関して、第１のデータパケットを送信するための同じ変調および符号化方式を決定することも可能である。サービス提供基地局１１１が協調ＭＩＭＯのそれぞれの基地局に関して同じ変調および符号化方式を決定した場合、オプションで、サービス提供基地局１１１は、最悪のチャネル品質を有するダウンリンクチャネルに対応する変調および符号化方式を、協調ＭＩＭＯのそれぞれの基地局に関する変調および符号化方式として決定することが可能であり、サービス提供基地局１１１は、より低いチャネル品質を有するダウンリンクチャネルに対応する変調および符号化方式を、協調ＭＩＭＯのそれぞれの基地局に関する変調および符号化方式として決定することも可能である。
【００４１】
図１に示されているような協調ＭＩＭＯでは、一般性を失わずに、サービス提供基地局１１１によって、協調ＭＩＭＯのそれぞれの基地局に関して同じ変調および符号化方式を決定する一実施形態を説明するために、サービス提供基地局１１１から移動局１２へのダウンリンクチャネルのチャネル品質が協調基地局１１２から移動局１２へのダウンリンクチャネルのチャネル品質よりも良好であり、サービス提供基地局１１２から移動局１２へのダウンリンクチャネルのチャネル品質が協調基地局１１３から移動局１２へのダウンリンクチャネルのチャネル品質よりも良好である例をとる。
【００４２】
一般性を失わずに、サービス提供基地局１１１から移動局１２へのダウンリンクチャネルのチャネル品質に対応する変調および符号化方式はＭＣＳ５であり、協調基地局１１２から移動局１２へのダウンリンクチャネルのチャネル品質に対応する変調および符号化方式はＭＣＳ４であり、協調基地局１１３から移動局１２へのダウンリンクチャネルのチャネル品質に対応する変調および符号化方式はＭＣＳ３であると仮定する。サービス提供基地局１１１は、協調ＭＩＭＯのそれぞれの基地局向けの第１のデータパケットに関する変調および符号化方式としてＭＣＳ３を使用するか、または協調ＭＩＭＯのそれぞれの基地局向けの第１のデータパケットに関する変調および符号化方式としてＭＣＳ４を使用することが可能である。当然、サービス提供基地局１１１は、協調ＭＩＭＯのそれぞれの基地局向けの第１のデータパケットに関する変調および符号化方式としてＭＣＳ５を使用することも可能である。
【００４３】
上記は、サービス提供基地局１１１が、協調ＭＩＭＯのそれぞれの基地局から移動局１２へのダウンリンクチャネルのチャネル品質に関連する情報に従って、協調ＭＩＭＯのそれぞれの基地局に関する変調および符号化方式を決定する事例に関する詳細な説明である。以下は、協調ＭＩＭＯのそれぞれの基地局が第１のデータパケットを送信するための変調および符号化方式を独自で決定する事例に関する詳細な説明である。
【００４４】
協調ＭＩＭＯのそれぞれの基地局が第１のデータパケットを送信するための変調および符号化方式を独自で決定する事例は、さらに２つの事例に分割可能である。すなわち、１）それぞれの基地局が、事前の合意に従って、移動局１２に協調的に送信されることになるデータパケットに関して同じ変調および符号化方式を採用する事例、ならびに２）協調ＭＩＭＯのそれぞれの基地局が第１のデータパケットを送信するための変調および符号化方式を独立して決定する事例、である。
【００４５】
協調ＭＩＭＯにおいて、移動局１２は、通常、それぞれのセルのエッジ上に位置するため、それぞれの基地局は、したがって、より低いデータスループットを有するが、より高いエラー弾性を有する変調および符号化方式を採用することが可能である。
【００４６】
上述の事例１）の場合、例えば、ＬＴＥアドバンスト無線通信ネットワークの場合、協調ＭＩＭＯのそれぞれの基地局は、ＭＣＳ３の変調および符号化方式を採用するための合意を事前に交わすことができる。
【００４７】
上述の事例２）の場合、協調ＭＩＭＯのそれぞれの基地局は、第１のデータパケットを送信するための変調および符号化方式を独立して決定する。それぞれの基地局によって独立して決定された変調および符号化方式は、同じであってよく、または異なってもよい。例えば、ＬＴＥアドバンスト無線通信ネットワークの場合、サービス提供基地局１１１は、ＭＣＳ４の変調および符号化方式を採用することが可能であり、協調基地局１１２は、ＭＣＳ３の変調および符号化方式を採用することが可能であり、協調基地局１１３は、ＭＣＳ３の変調および符号化方式を採用することが可能である。
【００４８】
協調ＭＩＭＯのそれぞれの基地局に関して同じ変調および符号化方式を採用する利点は、それぞれの基地局が全く同一のデータパケットを第１の時間周波数リソース上で移動局１２に送信すること、すなわち、移動局１２が、無線周波数において、そのデータパケットがどの基地局から生じたのかを見分ける必要なしに、サービス提供基地局１１１によって送信された第２のデータパケットまたは第３のデータパケットを協調基地局１１３または１１４によって送信された第４のデータパケットと組み合わせることである。
【００４９】
協調ＭＩＭＯのそれぞれの基地局が異なる変調および符号化方式を採用するとき、それぞれの基地局によって送信されるデータパケットは異なり、それぞれの基地局のデータパケットを受信した後で、移動局１２は、データパケットに関して最大比合成またはソフト合成を実行する。協調ＭＩＭＯのそれぞれの基地局が異なる変調および符号化方式を採用する場合、それぞれの基地局は、近接する（例えば、同じＭＡＣスケジューリング期間内である）が、全く同じではない時点で第１のデータパケットを送信することが可能である。
【００５０】
サービス提供基地局１１１が協調ＭＩＭＯのそれぞれの基地局に関する変調および符号化方式を決定した後で、サービス提供基地局１１１は、図６に示されるようなステップも実行する。
【００５１】
まず、ステップＳ６０１において、サービス提供基地局１１１は、第３のデータパケットを得るために、図５に示されるように、ステップＳ５０２で独自に決定された変調および符号化方式を使用して、第１のデータパケットに関する変調および符号化を実行する。
【００５２】
次いで、ステップＳ６０２において、サービス提供基地局１１１は、第３のデータパケットを第１の時間周波数リソース上で移動局１２に送信する。
【００５３】
第２のデータパケットおよび第３のデータパケットの形態は、詳細には、２つの変調および符号化を実行するためにサービス提供基地局１１１によって採用される変調および符号化方式が同じか否かに応じて、同じであってよく、または異なってもよい点が説明されるべきである。
【００５４】
説明されるべきもう１つの要点は、サービス提供基地局１１１が、移動局１２に送信されることになるサービスデータに関するデータリンク層処理を実行して、第１のデータパケットを得た後で、サービス提供基地局１１１は、第１のデータパケットに関するデータ層処理を実行することである。異なるプロトコルの物理層仕様に従って、異なる物理層処理を採用する必要があるが、少なくとも変調および符号化処理のステップは含まれる。例えば、ＬＴＥアドバンスト無線通信ネットワークの場合、物理層処理は、チャネル符号化、混成ＡＲＱ処理、チャネルインターリービング、スクランブリング、変調および符号化処理、マッピングおよびプリコーディング処理などのステップを含む。本発明では、変調および符号化処理だけが先行技術と異なるため、変調および符号化処理の決定だけが定義される。
【００５５】
サービス提供基地局１１１が協調ＭＩＭＯのそれぞれの基地局に関して対応する変調および符号化方式を決定した後で、かつ図４に示されるステップＳ４０２に先立って、協調基地局１１２は、サービス提供基地局１１１から変調および符号化方式の通知を受信する。
【００５６】
次に、ステップＳ４０２において、協調基地局１１２は、第４のデータパケットを得るために、サービス提供基地局１１１によって通知された変調および符号化方式に従って、第１のデータパケットに関して対応する変調および符号化処理を実行する。異なる変調および符号化方式は、結果として、異なる形態の第４のデータパケットをもたらす。
【００５７】
その後、図４に示されるステップＳ４０３において、協調基地局１１２は、変調および符号化処理が実行されている第１のデータパケット、すなわち、第４のデータパケットを第１の時間周波数リソース上で移動局１２に送信する。
【００５８】
上記の説明では、協調ＭＩＭＯのダウンリンクサービスデータに関するコンテンツ同期手順を詳細に説明するために、１つのデータパケットの伝送を例にとった。当業者は、複数のデータパケットの事例に関する手順は、１つのデータパケットに関する手順と類似する点を理解されたい。
【００５９】
ＬＴＥアドバンスト無線通信ネットワークの場合、データリンク層処理は、ＰＤＣＰ処理と、ＲＬＣ処理と、ＭＡＣ処理と、スケジューリングとを含む。本発明では、サービス提供基地局１１１はデータパケットに関するデータリンク層処理を実行する必要があるため、１つのＭＡＣスケジューリング期間は、通常、複数の伝送時間間隔（ＴＴＩ）である。
【００６０】
サービス提供基地局１１１は、移動局１２に送信されることになる複数の第１のデータパケットを、第１の時間周波数リソースならびに変調および符号化方式に関する、それらの対応する情報と共にＭＡＣスケジューリング期間内にそれぞれの協調基地局に送信することが可能である。オプションで、１つのＭＡＣスケジューリング期間内に、移動局１２に送信させることになる複数の第１のデータパケットに関して同じ変調および符号化方式を採用することが可能であり、すなわち、協調ＭＩＭＯのそれぞれの基地局に関する変調および符号化方式は１つのＭＡＣスケジューリング期間において変化しない。
【００６１】
図７は、協調ＭＩＭＯのＭＡＣスケジューリング期間およびデータパケット伝送の図を示し、その中のデータパケットセットは、上で説明されたように、第１のＭＡＣスケジューリング期間内の複数の第１のデータパケットに対応する。
【００６２】
サービス提供基地局１１１が複数の第１のデータパケットを協調基地局１１２および１１３に送信する手順の間にパケット損失が生じたとき、協調基地局１１２および１１３は、干渉を回避するために、コンテンツ同期を実現する目的で図８に示されるような処理をさらに実行することができる。一般性を失わずに、図８に示されるこの手順を詳細に説明するために協調基地局１１２を例にとる。
【００６３】
まず、ステップＳ８０１において、協調基地局１１２は、サービス提供基地局１１１からの第１のデータパケット内に含まれたＭＡＣ  ＰＤＵシーケンス番号に従って、データパケットが失われたかどうかを判定する。
【００６４】
詳細には、サービス提供基地局１１１が１００個の第１のデータパケットを協調基地局１１２および１１３に送信することを例にとると、協調基地局１１２によって受信されたＭＡＣ  ＰＤＵシーケンス番号が１から５５、５８から１００である場合、協調基地局１１２は、ＭＡＣ  ＰＤＵシーケンス番号５６から５７を有する２個の第１のデータパケットが失われたことを判定する。
【００６５】
次に、ステップＳ８０２において、協調基地局１１２が、データパケットが失われたことを判定した場合、協調基地局１１２は、サービス提供基地局１１１によって決定された、失われたデータパケットを送信するための対応する時間周波数リソース上でいかなるデータも送信しない。
【００６６】
図９は、本発明の一実施形態による無線通信ネットワークの協調ＭＩＭＯのダウンリンクサービスデータのコンテンツ同期を制御するための制御装置９００の構造図である。制御装置９００は、処理ユニット９０１と、第１の決定ユニット９０２と、第１の送信ユニット９０３と、第１の変調および符号化ユニット９０４と、第２の送信ユニット９０５と、取得ユニット９０６と、第２の決定ユニット９０７と、第２の変調および符号化ユニット９０８と、第３の送信ユニット９０９とを備える。
【００６７】
便宜上、図９では、多くの好ましい実施形態の下位装置が一緒に示されている点が説明されるべきである。当業者は、本明細書の教示により、処理ユニット９０１、 第１の決定ユニット９０２、および第１の送信ユニット９０３だけが本発明を実装するために必要なユニットであり、その他の下位装置はオプションのユニットである点を理解されたい。以下の説明において、サービス提供基地局１１１内に配置された制御装置９００が協調ＭＩＭＯのダウンリンクサービスデータのコンテンツ同期を制御する手順が、図１に示されるアプリケーションシナリオを参照して詳細に説明される。
【００６８】
まず、処理ユニット９０１は、第１のデータパケットを得るために、移動局１２に送信されることになるサービスデータに関するデータリンク層処理を実行する。異なる無線通信ネットワークの場合、特定のデータリンク層処理は、異なる処理手順を含み得る。例えば、ＬＴＥアドバンスト無線通信ネットワークの場合、データリンク層処理は、ＰＤＣＰ処理と、ＲＬＣ処理と、ＭＡＣ処理と、スケジューリングとを含む。
【００６９】
次に、第１の決定ユニット９０２は、第１のデータパケットを送信するための第１の時間周波数リソースに関する情報を決定する。
【００７０】
最終的に、第１の送信ユニット９０３は、それぞれ、第１のデータパケットを協調ＭＩＭＯの他の協調基地局１１２および１１３に送信し、第１の時間周波数リソースに関する情報を他の協調基地局１１２および１１３に送信する。
【００７１】
ＬＴＥアドバンスト無線通信ネットワークの場合、それぞれの基地局は、他の基地局と通信するためのＸ２インターフェースを有する。第１の送信ユニット９０３は、Ｘ２インターフェースを経由して、第１のデータパケットと、第１の時間周波数リソースに関する情報とを協調基地局１１２および１１３に送信することが可能である。
【００７２】
図１に示されるアプリケーションシナリオの場合、ダウンリンクサービスデータ伝送に関与する基地局は、基地局１１１、基地局１１２、および基地局１１３であってよく、もしくは基地局１１２および基地局１１３であってよく、または基地局１１１および基地局１１２であってよく、あるいは基地局１１１および基地局１１３であってもよい。サービス提供基地局１１１がサービスデータ伝送に関与する場合、制御装置９００は、以下の機能も実行する。
【００７３】
まず、第１の変調および符号化ユニット９０４は、第２のデータパケットを得るために、処理ユニット９０１の処理の後に取得された第１のデータパケットに関する変調および符号化を実行する。
【００７４】
次に、第２の送信ユニット９０５は、第２のデータパケットを第１の決定ユニット９０２によって決定された第１の時間周波数リソース上で移動局１２に送信する。
【００７５】
基地局１１２および／または基地局１１３が協調ＭＩＭＯのサービスデータ伝送に関与する場合、基地局１１２または基地局１１３は、図１０示されているような同期ユニット１０００をさらに備える。図１０において、同期ユニット１０００は、受信ユニット１００１と、第３の変調および符号化ユニット１００２と、第４の送信ユニット１００３と、判定ユニット１００４と、伝送制御ユニット１００５とを備える。便宜上、図１０では、多くの好ましい実施形態の下位装置が一緒に示されている点が説明されるべきであり、当業者は、本明細書の教示により、受信ユニット１００１、第３の変調および符号化ユニット１００２、ならびに第４の送信ユニット１００３だけが本発明を実現するために必要なユニットであり、その他の下位装置はオプションのユニットである点を理解されたい。協調基地局１１２内に配置される同期装置１０００が協調ＭＩＭＯのダウンリンクサービスデータに関するコンテンツ同期を実行する手順が、図１に示されているアプリケーションシナリオを参照して詳細に説明される。
【００７６】
まず、受信ユニット１００１は、サービス提供基地局１１１から生じ、かつサービス提供基地局１１１がデータリンク層処理を実行した第１のデータパケットと、サービス提供基地局１１１によって決定された、第１のデータパケットを送信するための第１の時間周波数リソースに関する情報とを受信する。
【００７７】
次に、第３の変調および符号化ユニット１００２は、第４のデータパケットを得るために、第１のデータパケットに関する変調および符号化処理を実行する。
【００７８】
最終的に、第４の送信ユニット１００３は、第４のデータパケットを第１の時間周波数リソース上で移動局１２に送信する。
【００７９】
第２のデータパケットおよび第４のデータパケットの形態は、詳細には、サービス提供基地局１１１と協調基地局１１２とによって採用される変調および符号化方式に応じて、同じであってよく、または異なってもよい点が説明されるべきである。サービス提供基地局１１１および協調基地局１１２が同じ変調および符号化方式を採用する場合、第２のデータパケットおよび第４のデータパケットの形態は同じであり、サービス提供基地局１１１および協調基地局１１２が異なる変調および符号化方式を採用する場合、第２のデータパケットおよび第４のデータパケットの形態は異なる。
【００８０】
詳細には、図１で説明される協調ＭＩＭＯでは、第１のデータパケットを移動局１２に送信するためにそれぞれの基地局によって採用される変調および符号化方式の様式は、少なくとも２つの事例を含む。１つは、サービス提供基地局１１１が、それぞれの基地局から移動局１２へのダウンリンクチャネルのチャネル品質に関連する情報に従って、協調ＭＩＭＯのそれぞれの基地局に関して対応する変調および符号化方式を決定することである。もう１つは、協調ＭＩＭＯのそれぞれの基地局が、第１のデータパケットを送信するための変調および符号化方式を独自に決定することである。これらの２つの様式は、それぞれ、以下で詳細に説明される。
【００８１】
第１の様式の詳細な実装形態が、次に以下で説明される。
【００８２】
まず、取得ユニット９０６は、協調ＭＩＭＯの基地局１１２および１１３のそれぞれから移動局１２へのダウンリンクチャネルのチャネル品質に関連する情報を取得する。
【００８３】
詳細には、図１に示されているような協調ＭＩＭＯの場合、サービス提供基地局１１１は、基地局１１１、１１２および１１３が移動局１２へのダウンリンクチャネルのチャネル品質を測定することを移動局１２に命令するための表示を送信する。移動局１２は、チャネル品質に関連する情報を得るために、基地局１１２および１１３のそれぞれから受信された同期ブロードキャスト情報に従って、基地局１１２および１１３のそれぞれから移動局１２自体へのダウンリンクチャネルのチャネル品質を測定する。移動局１２は、チャネル品質に関連する情報を得るために、サービス提供基地局１１１から受信されたユニキャスト情報またはブロードキャスト情報に従って、サービス提供基地局１１１から移動局１２へのダウンリンクチャネルのチャネル品質も測定する。その後、移動局１２は、それぞれのチャネルのチャネル品質に関連する情報を基地局１１１に送信し戻す。チャネル品質に関連する情報は、チャネル品質インジケータ（ＣＱＩ）もしくは信号対雑音比（ＳＮＲ）または信号対干渉雑音比（ＳＩＮＲ）などを含むが、これらに限定されないチャネル品質を示す情報を指す。オプションで、チャネル品質に関連する情報は、バースト干渉の影響を除去するために、ある期間内の複数の過渡値の統計的な平均値であってよい。
【００８４】
次に、第２の決定ユニット９０７は、協調ＭＩＭＯのそれぞれの基地局１１２および１１３に関して、取得ユニット９０６によって取得されたチャネル品質に関連する情報に従って、第１のデータパケットを送信するための変調および符号化方式を決定する。
【００８５】
最終的に、第１の送信ユニット９０３は、それぞれ協調基地局１１２および１１３の対応する変調および符号化方式を対応する基地局に送信する。
【００８６】
詳細には、第２の決定ユニット９０７は、協調ＭＩＭＯのそれぞれの基地局に関して、それぞれ、第１のデータパケットを送信するための変調および符号化方式を決定することが可能である。一般に、チャネル品質に関連する情報によって良好なチャネル品質が示されたダウンリンクチャネルの場合、ＧＳＭ進化のための拡張データレート（ＥＤＧＥ）のＭＣＳ−５からＭＣＳ−９など、より高いデータスループットを有するが、より低いエラー弾性を有する変調および符号化方式を採用することが可能である。チャネル品質に関連する情報によってより低いチャネル品質が示されたダウンリンクチャネルの場合、ＧＳＭ進化のための拡張データレート（ＥＤＧＥ）のＭＣＳ−１からＭＣＳ−４など、低いデータスループットを有するが、高いエラー弾性を有する変調および符号化方式を採用することが可能である。
【００８７】
オプションで、第２の決定ユニット９０７は、協調ＭＩＭＯのそれぞれの基地局に関する第１のデータパケットを送信するために同じ変調および符号化方式を決定することも可能である。第２の決定ユニット９０７が協調ＭＩＭＯの協調基地局のそれぞれの基地局に関して同じ変調および符号化方式を決定する場合、オプションで、第２の決定ユニット９０７は、最悪なチャネル品質を有するダウンリンクチャネルに対応する変調および符号化方式を協調ＭＩＭＯのそれぞれの基地局に関する変調および符号化方式として決定することが可能であり、第２の決定ユニット９０７は、より低いチャネル品質のダウンリンクチャネルに対応する変調および符号化方式を協調ＭＩＭＯのそれぞれの基地局に関する変調および符号化方式として決定することも可能である。
【００８８】
図１に示されているような協調ＭＩＭＯでは、一般性を失わずに、サービス提供基地局１１１によって、協調ＭＩＭＯのそれぞれの基地局に関して同じ変調および符号化方式を決定する一実施形態を説明するために、サービス提供基地局１１１から移動局１２へのダウンリンクチャネルのチャネル品質が協調基地局１１２から移動局１２へのダウンリンクチャネルのチャネル品質よりも良好であり、サービス提供基地局１１２から移動局１２へのダウンリンクチャネルのチャネル品質が協調基地局１１３から移動局１２へのダウンリンクチャネルのチャネル品質も良好である例をとる。
【００８９】
一般性を失わずに、サービス提供基地局１１１から移動局１２へのダウンリンクチャネルのチャネル品質に対応する変調および符号化方式はＭＣＳ５であり、協調基地局１１２から移動局１２へのダウンリンクチャネルのチャネル品質に対応する変調および符号化方式はＭＣＳ４であり、協調基地局１１３から移動局１２へのダウンリンクチャネルのチャネル品質に対応する変調および符号化方式はＭＣＳ３であると仮定する。第２の決定ユニット９０７は、協調ＭＩＭＯのそれぞれの基地局向けの第１のデータパケットに関する変調および符号化方式としてＭＣＳ３を使用することが可能であり、または協調ＭＩＭＯのそれぞれの基地局向けの第１のデータパケットに関する変調および符号化方式としてＭＣＳ４を使用することも可能である。当然、第２の決定ユニット９０７は、協調ＭＩＭＯのそれぞれの基地局向けの第１のデータパケットに関する変調および符号化方式としてＭＣＳ５を使用することも可能である。
【００９０】
上記は、第２の決定ユニット９０７が、協調ＭＩＭＯのそれぞれの基地局から移動局１２へのダウンリンクチャネルに関連する情報に従って、協調ＭＩＭＯのそれぞれの基地局に関して対応する変調および符号化方式を決定する事例に関する詳細な説明である。以下は、協調ＭＩＭＯのそれぞれの基地局が第１のデータパケットを送信するための変調および符号化方式を独自に決定する事例に関する詳細な説明である。
【００９１】
それぞれの基地局が協調ＭＩＭＯの第１のデータパケットを送信するための変調および符号化方式を独自に決定する事例は、さらに２つの事例に分割可能である。すなわち、１）それぞれの基地局が、事前の合意に従って、移動局１２に協調的に送信されることになるデータパケットに関して同じ変調および符号化方式を採用する事例、ならびに２）協調ＭＩＭＯのそれぞれの基地局が第１のデータパケットを送信するための変調および符号化方式を独自に独立して決定する事例、である。
【００９２】
協調ＭＩＭＯにおいて、移動局１２は、通常、それぞれのセルのエッジ上に位置するため、それぞれの基地局は、したがって、より低いデータスループットを有するが、より高いエラー弾性を有する変調および符号化方式を採用することが可能である。
【００９３】
上述の事例１）の場合、例えば、ＬＴＥアドバンスト無線通信ネットワークの場合、協調ＭＩＭＯのそれぞれの基地局は、ＭＣＳ３の変調および符号化方式を採用するための合意を事前に交わすことができる。
【００９４】
上述の事例２）の場合、協調ＭＩＭＯのそれぞれの基地局は、第１のデータパケットを送信するための変調および符号化方式を独立して決定する。それぞれの基地局によって独立して決定された変調および符号化方式は、同じであってよく、または異なってもよい。例えば、ＬＴＥアドバンスト無線通信ネットワークの場合、サービス提供基地局１１１は、ＭＣＳ４の変調および符号化方式を採用することが可能であり、協調基地局１１２は、ＭＣＳ３の変調および符号化方式を採用することが可能であり、協調基地局１１３はＭＣＳ３の変調および符号化方式を採用することが可能である。
【００９５】
協調ＭＩＭＯのそれぞれの基地局に関して同じ変調および符号化方式を採用する利点は、それぞれの基地局が全く同一のデータパケットを第１の時間周波数リソース上で移動局１２に送信すること、すなわち、移動局１２が、無線周波数において、そのデータパケットがどの基地局から生じたのかを見分ける必要なしに、サービス提供基地局１１１によって送信された第２のデータパケットまたは第３のデータパケットを、協調基地局１１３または１１４によって送信された第４のデータパケットと組み合わせることである。
【００９６】
協調ＭＩＭＯのそれぞれの基地局によって異なる変調および符号化方式が採用されたとき、それぞれの基地局から送信されるデータパケットは異なり、それぞれの基地局のデータパケットを受信した後で、移動局１２は、データパケットに関して最大比合成またはソフト合成を実行する。協調ＭＩＭＯのそれぞれの基地局によって異なる変調および符号化方式が採用されたとき、それぞれの基地局は、近接する（例えば、同じＭＡＣスケジューリング期間内である）が、全く同じではない時点で第１のデータパケットを送信することが可能である。
【００９７】
第２の決定ユニット９０７が協調ＭＩＭＯのそれぞれの基地局に関して対応する変調および符号化方式を決定した後で、制御装置９００は、以下の機能をさらに実行する。
【００９８】
まず、第２の変調および符号化ユニット９０８は、第３のデータパケットを得るために、サービス提供基地局１１１に関して第２の決定ユニット９０７によって決定された変調および符号化方式に従って、第１のデータパケットに関する変調および符号化処理を実行する。
【００９９】
次に、第３の送信ユニット９０９は、第３のデータパケットを第１の時間周波数リソース上で移動局１２に送信する。
【０１００】
第２のデータパケットおよび第３のデータパケットの形態は、詳細には、２つの変調および符号化を実行する第１の変調および符号化ユニット９０４と第２の変調および符号化ユニット９０８とによって採用される変調および符号化方式が同じであるか否かに応じて、同じであってよく、または異なってもよい点が説明されるべきである。
【０１０１】
説明されるべきもう１つの要点は、サービス提供基地局１１１が、移動局１２に送信されることになるサービスデータに関するデータリンク層処理を実行して、第１のデータパケットを得た後で、サービス提供基地局１１１は、第１のデータパケットに関する物理層処理を実行し、異なるプロトコルの物理的仕様に従って、採用されることになる物理層処理も異なるが、少なくとも変調および符号化処理ステップを含むことである。例えば、ＬＴＥアドバンスト無線通信ネットワークの場合、物理層処理は、チャネル符号化、混成ＡＲＱ処理、チャネルインターリービング、スクランブリング、変調および符号化処理、マッピングおよびプリコーディング処理などを含む。本発明では、変調および符号化処理方式だけが先行技術と異なるため、ここでは変調および符号化処理方式の決定だけが定義される。
【０１０２】
サービス提供基地局１１１が協調ＭＩＭＯのそれぞれの基地局に関して対応する変調および符号化方式を決定した後で、協調基地局１１２および１１３内の同期装置１０００は、以下の機能をさらに実行し、これは、基地局１１２内の同期装置１０００を例にとって詳細に説明される。
【０１０３】
まず、受信ユニット１００１は、サービス提供基地局１１１から変調および符号化方式の通知を受信する。
【０１０４】
次に、第３の変調および符号化ユニット１００２は、サービス提供基地局１１１によって通知された変調および符号化方式に従って、第１のデータパケットに関して対応する変調および符号化処理を実行する。
【０１０５】
その後、上で説明されたように、第４の送信ユニット１００３は、変調および符号化処理が実行されている第１のデータパケット、すなわち、第４のデータパケットを第１の時間周波数リソース上で移動局１２に送信する。
【０１０６】
上の説明では、協調ＭＩＭＯのダウンリンクサービスデータのコンテンツ同期手順を詳細に説明するために、１つのデータパケットの伝送を例にとった。当業者は、複数のデータパケットの事例に関する手順は、１つのデータパケットに関する手順と類似する点を理解されたい。
【０１０７】
ＬＴＥアドバンスト無線通信ネットワークの場合、データリンク層処理は、ＰＤＣＰ処理と、ＲＬＣ処理と、ＭＡＣ処理と、スケジューリングとを含む。本発明では、サービス提供基地局１１１はデータパケットに関するデータリンク層処理を実行することが必要とされるため、１つのＭＡＣスケジューリング期間は、通常、複数の伝送時間間隔（ＴＴＩ）である。
【０１０８】
制御装置９００は、移動局１２に送信される複数の第１のデータパケットを、第１の時間周波数リソースならびに変調および符号化方式に関する、それらの対応する情報と共にＭＡＣスケジューリング期間内にそれぞれの協調基地局に送信することが可能である。オプションで、１つのＭＡＣスケジューリング期間内に移動局１２に送信されることになる複数の第１のデータパケットに関して同じ変調および符号化方式を採用することが可能であり、すなわち、協調ＭＩＭＯのそれぞれの基地局の変調および符号化方式は１つのＭＡＣスケジューリング期間において変化しない。
【０１０９】
サービス提供基地局１１１が複数の第１のデータパケットを協調基地局１１２および１１３に送信する手順の間にパケット損失が生じたとき、協調基地局１１２および１１３内の同期装置１０００は、干渉を回避するために、コンテンツ同期を実現する目的で以下の手順をさらに実行する。一般性を失わずに、この手順を詳細に説明するために協調基地局１１２の同期装置１０００を例にとる。
【０１１０】
まず、判定ユニット１００４は、サービス提供基地局１１１から受信ユニット１００１によって受信された第１のデータパケット内に含まれたＭＡＣ  ＰＤＵシーケンス番号に従って、データパケットが失われたかどうかを判定する。
【０１１１】
詳細には、サービス提供基地局１１１が１００個の第１のデータパケットを協調基地局１１２および１１３に送信することを例にとると、受信ユニット１００１によって受信されたＭＡＣ  ＰＤＵシーケンス番号が１から５５、５８から１００である場合、判定ユニット１００４は、ＭＡＣ  ＰＤＵシーケンス番号５６から５７を有する２個の第１のデータパケットが失われたことを判定する。
【０１１２】
次に、判定ユニット１００４が、データパケットが失われたことを判定した場合、伝送制御ユニット１００５は、失われたデータパケットに対応し、失われたデータパケットを送信するためにサービス提供基地局１１１によって決定された時間周波数リソース上でいかなるデータパケットも送信しないように第４の送信ユニット１００３を制御する。
【０１１３】
上の説明において、制御装置９００および同期装置１０００の動作手順は機能の点から定義されており、当業者は、特定の実装形態において、第１の変調および符号化ユニット９０４ならびに第２の変調および符号化ユニット９０８は、同じ変調および符号化ユニットによって実装されることが可能であり、第２の送信ユニット９０５および第３の送信ユニット９０６は、同じ送信ユニットによって実装されることも可能である点が説明されるべきである。
【０１１４】
本発明の実施形態が上で説明されている。本発明は上記の特定の実施形態に限定されず、添付の特許請求の範囲によって画定される範囲から逸脱せずに、当業者によって任意の改変または修正が行われ得る点を理解されたい。本発明の技術的な解決法は、ソフトウェアによってまたはハードウェアによって実現可能である。
【図１】
0005491534.tif 000002
【図２】
0005491534.tif 000003
【図３】
0005491534.tif 000004
【図４】
0005491534.tif 000005
【図５】
0005491534.tif 000006
【図６】
0005491534.tif 000007
【図７】
0005491534.tif 000008
【図８】
0005491534.tif 000009
【図９】
0005491534.tif 000010
【図１０】
0005491534.tif 000011